Podtech/llm-jp-corpus-v4-ja_patent huggingface dataset:
(57)【要約】【課題】遮光剤に、遮光期間の任意設定並びに消臭・脱臭・抗菌・抗ウイルス効果を持たせること。【解決手段】紫外線の光にて、効率よく光触媒反応をする,０.１ミクロン〜5５０ミクロンのアナターゼ型二酸化チタンが５％〜６０％で構成され、成分中にバインダーとして酢酸ビニール樹脂系エマルジョン・合成樹脂系のアルキド・アクリル・ウレタン・ポリビニールアルコールをいずれか含み、使用する現場において地下水・水道水・水路等の水で容易に、約２倍〜１００倍に希釈・分散でき、通常農家等で使用されている動力噴霧機等により容易に散布できること。【特許請求の範囲】
【請求項１】
二酸化チタンを使用する場合は、紫外線の光にて効率よく光触媒反応をする０.１ミクロン〜５０ミクロンのアナターゼ型二酸化チタンを、５％〜６０％で構成するフロアブル状の光触媒式遮光剤。
【請求項２】
成分中に、バインダーとして酢酸ビニール樹脂系エマルジョン・合成樹脂系のアルキド・アクリル・ウレタン・ポリビニールアルコールのいずれか１〜２種類が、５％〜５０％の割合で配合していることを特徴とする請求項１記載の光触媒式遮光剤。
【請求項３】
使用する現場において、地下水・水道水・水路等に水で容易に、約２倍〜１００倍に希釈・分散でき、超低コストで散布できる請求項２記載の光触媒式遮光剤。
【請求項４】
通常、農家等で使用されている動力噴霧機等により容易に散布できる請求項３記載の光触媒式遮光剤。
【請求項５】
施設栽培・ビニールハウス・ガラス温室等において屋根・外壁等に二酸化チタンをコーティングすることによって紫外線をカットし室内温度を下げることを特徴とする請求項４記載の光触媒式遮光剤。
【請求項６】
畜産農家等の、畜舎では畜産動物自体の体温と夏場の温度により畜産動物が耐え難い室内温度となっている。屋根・外壁等に二酸化チタンをコーティングすることによって畜舎内温度を下げるだけでなく，畜舎内から出る様々な臭気成分の分解もでき又、雑菌・ウイルス等の分解もできることを特徴とする請求項４記載の光触媒式遮光剤。
【発明の詳細な説明】
【技術分野】
【０００１】
本発明は、二酸化チタンを使用することで施設ハウス・畜舎等の内部温度を下げ、臭気成分を分解し雑菌・ウイルス等も分解する事のできる光触媒式遮光剤に関するものである。
【背景技術】
【０００２】
今まで施設園芸農家等では、作物によっては夏場の高温時に、高温障害・日焼け等から作物を守り施設内温度を下げる為に色々な工夫がなされ、カーテン資材からダイオネット資材また、高価なガラス温室では発泡スチロール等が使用され、簡易的にはカルシウム粉末・セラミックス粉体・二酸化チタン粉体・白色ペイント等が施設の天井・屋根・外壁等に使用されている。
【０００３】
遮光資材の中で簡易的に使用されているものの中には、現場において粉体を水等に希釈するタイプでは、水等に良く分散できず攪拌しながら散布しないと沈殿してしまうと言う問題と、接着剤が上手く馴染まず雨等にてはがれやすいと言う問題があった。又逆に接着剤によっては、長い期間遮光剤がはげずに困ると言う問題もあった。
【０００４】
又畜産農家等では、夏場の高温時には、畜産動物の体温からだけでなく糞尿から出るアンモニアガス等により、ある種の夏ばて状態になっていた。このような状態がつづく限り畜産動物からの生産性は低下を免れず畜産農家の経営を圧迫していた。
【０００５】
従来、施設等の天井など内側に散布する方法もあったが、散布するときに施設内の作物等に遮光剤等がかかってしまい、又、天井等では施設内湿度の影響で遮光剤が長く持たないと言う問題もあった。
【特許文献１】特開平１１−１２４５４６
【特許文献２】特開2001−２８６２２６
【非特許文献１】学会出版センター「光が関わる触媒化学」  季刊化学総説No.２３，１９９４
【非特許文献２】藤嶋  昭・橋本和仁・渡部俊也共著「光クリーン革命」太陽印刷１９９７年
【発明の開示】
【発明が解決しようとする課題】
【０００６】
解決しようとする問題点は、遮光量・遮光期間の任意設定並びに消臭・脱臭・抗菌・抗ウイルス効果を持たせることである。
【課題を解決するための手段】
【０００７】
本発明は、遮光剤に二酸化チタンを使うことで温度を下げるだけでなく、光触媒反応を利用することで消臭・脱臭・抗菌・抗ウイルス効果が得られ、又、バインダーとして酢酸ビニール樹脂系エマルジョン・合成樹脂系のアルキド・アクリル・ウレタン・ポリビニールアルコールの種類を使い分けることにより遮光期間の調整もできるようになった。
【発明の効果】
【０００８】
本発明の二酸化チタン光触媒式遮光剤を使用することにより、畜舎内・ハウス内温度を約３〜５度下げることができ、消臭・脱臭・抗菌・抗ウイルス効果が得られる。
【発明を実施するための最良の形態】
【０００９】
使用する現場において、地下水・水道水・水路等の水で容易に、約２倍〜１００倍に希釈・分散でき、通常農家等で使用されている動力噴霧機等により容易に散布できるフロアブル状にすること。
【実施例】
【００１０】
実施例１  精制水を５００ccの容器に５本準備しそれぞれに酢酸ビニール樹脂系Aエマルジョン・合成樹脂系のBアルキド・Cアクリル・Dウレタン・Eポリビニールアルコールを各１種類２ｇづつ入れ攪拌し分散させたものに、アナターゼ型二酸化チタンを１０gづつ分散させ、１m×１mの５枚のビニールにA〜Eの５種類をそれぞれ、３０cc散布し遮光期間と遮光量の試験をした。
【００１１】
遮光期間については、短い順にA・E・C・B・Dであった。遮光量紫外線カット率については、５種類ともに約５５％〜６０％であまり差がなかった。又、ハウスでの使用方法は、１０a当たり水６０Lに二酸化チタン４％〜５％２Kg〜３kg・バインダーは１．６％１ｋｇ攪拌・分散して、施設等の屋根・外壁等に散布する。
【産業上の利用可能性】
【００１２】
二酸化チタン光触媒とバインダーとして酢酸ビニール樹脂系エマルジョン・合成樹脂系のアルキド・アクリル・ウレタン・ポリビニールアルコールの組み合わせによって、遮光し温度を下げるだけでなく同時に抗菌・抗ウイルス・消臭・脱臭作用が得られることから施設栽培だけでなく畜産農家等では様々な臭気成分の発生などの光触媒作用が不可欠な用途にも使用できる。
(57)【要約】【課題】        電源を安全、的確に取り出すことができる、固着式コードなし複数プラグ差し込み口電源タップを提供する。【解決手段】  従来の複数プラグ差込口電源タップは全てコード付きであり、そのコードが邪魔になり、接続する複数の電気器具及び、電気機器の配線と絡み合い蜘蛛の巣状態になることも多々あり危険でさえある、これは不必要なコードが付き、尚且つ固定できないためである。また従来の複数プラグ差込口電源タップでは、単独で差し込まれたコンセントを取り外す場合両手が必要である。当発明のコードなし複数プラグ差込口電源タップをコード無しで壁面等の電源コンセントに差し込み壁面等に固着することにより、現在の複数プラグ差込口電源タップの問題点を低コストで解決する。【選択図】        図２
2005327640.tif 000002
【特許請求の範囲】
【請求項１】
既存する電源コンセントに、差込コンセントが付いた複数差込口付き電源タップを差込、本体を壁面等に固着し、電気器具等の差込コンセントの抜き差しを安全性を高め尚且つ容易にする構造。
【発明の詳細な説明】
【技術分野】
【０００１】
本発明は、パソコン周辺やキッチン等電源コンセントが多数必要な場所の、既存の壁面等の電源コンセントに、本発明の本体を差し込み、多数の電源を安全、的確に取り出すことができる、複数コンセント差し込み口電源タップの構造に関するものである。
【背景技術】
【０００２】
昨今、電気製品、機器等が多様化し差し込み口が幾つあっても足りない現状であり、ともすれば見えないところで、従来の複数プラグ差込電源タップは全てコード付きであり、危険な配線が行われているのが現状である、当発明のコードなし複数差込口電源タップを、既存する壁面等の電源コンセントに差し込み固着する事により、差込コンセントの脱着が片手で安全、的確、容易にでき、Ｗ数も管理できる構造の複数口電源タップは皆無であった。
【特許文献１】実用新案出願平１０−１０８９３
【発明の開示】
【発明が解決しようとする課題】
【０００３】
従来の複数プラグ差込口電源タップは全てコード付きであり、そのコードが邪魔になり、接続する複数の電気器具及び、電気機器の配線と絡み合い蜘蛛の巣状態になることも多々あり危険でさえある、これは不必要なコードが付き、尚且つ固定できないためである。また従来の複数プラグ差込口電源タップでは、単独で差し込まれたコンセントを取り外す場合両手が必要である。当発明のコードなし複数プラグ差込口電源タップをコード無しで壁面等の電源コンセントに差し込み壁面等に固着することにより、現在の複数プラグ差込口電源タップの問題点を低コストで解決しようとする発明である。
【課題を解決するための手段】
【０００４】
複数プラグ差込口電源タップのコードをなくし、電源コンセントに直接差し込み、本体を壁面等に固着する（図１、図２）
【発明の効果】
【０００５】
当発明の固着式コードなし複数プラグ差し込み口電源タップを使用することにより、不要で危険且つ見苦しい電源コードの数を減らし、整然と配線を行なえる。又、壁面等に固着することにより安全・確実にコンセントの差し込み作業を行なえ、しかも、タップが重量等によりコンセントから脱落するのを未然に防止できる。
【実施例】
【０００６】
実施例を図１、図２を用いて説明する。
図１は本発明の固着式コードなし複数プラグ差し込み口タップの平面図である。図２は本発明の固着式コードなし複数プラグ差し込み口タップを壁面等のコンセントに差し込み固着した状態を示す断面図である。
【０００７】
電源タップに壁面等への固着用の穴を設ける。（図１）
【０００８】
電源タップの背面に差し込み側コンセントを設け、壁面等の受け側コンセントに差し込み、壁面等にビス等で固着する。
【図面の簡単な説明】
【０００９】
【図１】当発明を適用した電源タップの平面図である。
【図２】当発明を適用した電源タップの壁面等への固着例を示す断面図である。
【符号の説明】
【００１０】
１    当発明本体
２    固着用ビス穴
３    コンセント差込口
４    壁面等
５    埋込コンセント
６    差込コンセント足
【図１】
2005327640.tif 000003
【図２】
2005327640.tif 000004
(57)【要約】      （修正有）【課題】  泥棒などがガラス窓や戸から侵入したとき、いち早く感知する防犯用感圧マットスイッチを提供する。【解決手段】  平常時は絶縁性で圧力を加えると導電性となる感圧導電性シートの上面と下面を、導電性シートあるいは金網等を電極として挟んで、外観を一枚のマット状に保護化粧し、圧力の有る無しにより感知した入り切り信号を、外部に取り出す端子を設けた、防犯用感圧マットスイッチ。【選択図】図３
2005327226.tif 000002
【特許請求の範囲】
【請求項１】
平面板状の感圧導電性のシートの上面と下面を導電性のシート、又は導電性の金網などでサンドイッチ状に挟んで電極とし、その電極から外部に接続する端子を設けて、マット状に仕上げた、侵入者を感知するための防犯用感圧マットスイッチ。
【請求項２】
請求項１の感圧導電性のシートを適当に分割して空間を設け、その空間の隙間に弾力性のある物質を埋めた、復元性のある防犯用感圧マット。
【発明の詳細な説明】
【技術分野】
【０００１】  本発明は、泥棒などがガラス窓や、戸から侵入した場合いち早く感知する防犯用の感圧マットに関するものである。
【背景技術】
【０００２】  従来より、ガラス窓や戸から室内に侵入するのを防ぐのに、鍵を頑丈にしたり、ガラス窓や戸を頑丈にして防いでいた。
あるいは赤外線装置や、カメラなどを設置して防ぐ方法も取られていた。
【発明の開示】
【発明が解決しようとする課題】
【０００３】  そのために、次のような問題点があった。
ガラス窓や戸それから鍵などを頑丈にしても、特殊な方法を使ってガラスを割られたり鍵を開けられたりした。
赤外線装置も取り付けるのが複雑で犬猫でも動作したり、誤動作も多かった、カメラも取り付け場所や管理も大変だった。
本発明は以上の問題点を解決しようとするものである。
【問題を解決するための手段】
【０００４】  ガラス窓や戸の内側に、感圧導電性マットを敷いておき、泥棒が侵入して其のマットに足を乗せて体重が掛かったとき、感圧導電性部が通電して防犯装置を動作させる防犯用感圧マットスイッチである。
【発明の効果】
【０００５】  本発明は、泥棒が侵入するには絶対床に体重が掛かるので、その床に感圧導電性マットを  敷くだけで侵入を感知出来、確実である。
【発明を実施するための最良の形態】
【０００６】  以下本発明の実施の形態を説明する。
（イ）圧力を掛けると導電性となるゴムなどで作った平面薄板状の感圧導電性シート（４）を適当な大きさのマット状に切る。
（ロ）このマット状に切った感圧導電性シート（４）の上面と下面を導電性のある金網又は導電性シート（２）と（３）でサンドイッチのように密着させて挟み三層の板状のマットにし、このマットに体重が乗るか乗らないかで、電気回路が入り切りする、感圧マット部（１）を作る。
（ハ）出来上がった感圧マット部（１）の表面を保護材やジュウタン等の保護化粧外装（５）で仕上げそのマットの適当な箇所に外部に信号を取り出す電極端子（６）を設け外部に感知信号を送れる一枚の防犯用感圧マットスイッチとする。
本発明は、以上の構成よりなっている。
本発明を使用するときは、上記の防犯用感圧マットスイッチを直接窓や戸の室内側の床に直接敷くか、あるいは目立たないようジュウタンの下に敷いておき、泥棒が室内に侵入し防犯用感圧マットスイッチに乗ったとき、外部に感知信号を送る事が出来る。
またこの防犯用感圧マットスイッチを二枚組にして少し離して敷いて置くことにより別に設置された防犯装置の制御盤にて、内部家人の出入りか、外部からの侵入かを判断させ、防犯装置をロックしたり、ロック解除したり、あるいは外部からの侵入と判断して、警報させることも出来る。
【図面の簡単な説明】
【０００７】
【図１】  本発明の斜視図
【図２】  本発明の平面図
【図３】  本発明の断面図
【図４】  本発明の感圧部と弾性復元部の角形混合配置例の平面図
【図５】  本発明、図４のＡ〜Ａ’断面図
【図６】  本発明の感圧部と弾性復元部の円形混合配置例の平面図
【図７】  本発明、図６の  Ｂ〜Ｂ’断面図
【符号の説明】
【０００８】  １  感圧マット部
２  上面導電性電極
３  下面導電性電極
４  感圧導電性シート
５  保護化粧外装
６  電極端子
７  感圧導電材
８  弾性復元材
９  電極材
１０  感圧導電材
１１  弾性復元材
１２  電極材
【図１】
2005327226.tif 000003
【図２】
2005327226.tif 000004
【図３】
2005327226.tif 000005
【図４】
2005327226.tif 000006
【図５】
2005327226.tif 000007
【図６】
2005327226.tif 000008
【図７】
2005327226.tif 000009
(57)【要約】【課題】  ボルテージレギュレータに内蔵している基準電圧の回路において、電源投入時には、基準電圧の出力が急激に立ち上がるため、ボルテージレギュレータの出力に、過度のオーバーシュート量が現れるという課題があった。【解決手段】  ボルテージレギュレータ内蔵の基準電圧において、その出力にCR時定数によるソフトスタート時間を設けることにより、基準電圧出力を緩やかに立ち上げさせ、ボルテージレギュレータ出力のオーバーシュート量を減少させるようにした。【選択図】    図１
2005327027.tif 000002
【特許請求の範囲】
【請求項１】
基準電圧と帰還抵抗の電圧分割された出力電圧を比較した誤差増幅器により、一定の出力電圧を保持するのに必要なゲート電圧を出力トランジスタに供給するボルテージレギュレータにおいて、前記基準電圧の出力にCR回路を設けたことを特徴とするボルテージレギュレータ用オーバーシュート制御回路。
【発明の詳細な説明】
【技術分野】
【０００１】
この発明は、半導体集積回路装置の出力電圧制御回路による電源投入時のボルテージレギュレータ出力に現れるオーバーシュートを抑えたボルテージレギュレータに関する。
【背景技術】
【０００２】
図２は従来のボルテージレギュレータの構成図である。（特許文献１  参照）
基準電圧の出力信号３は電源投入時において、急激に立上る。また、その時の帰還抵抗６により出力電圧を電圧分割された信号７はＧＮＤ電位のため、基準電圧の出力信号３と比較した誤差増幅器４の出力５は、一定の出力電圧を保持するのに必要以上なゲート電圧を出力トランジスタ８に与えてしまう。その結果、出力端子２に過度なオーバーシュートが現れる。
【特許文献１】特開２００２−２５８９５４号公報
【発明の開示】
【発明が解決しようとする課題】
【０００３】
従来、ボルテージレギュレータに内蔵している基準電圧の回路において、基準電圧の出力が、電源投入時には急激に立ち上がる。そのため、ボルテージレギュレータの出力には、過度のオーバーシュートが現れるという欠点があった。この発明は、従来のこのような欠点を解決するために、基準電圧の出力にソフトスタート時間を設けさせることにより、電源投入時において、ボルテージレギュレータ出力のオーバーシュート量を減少させようとするものである。
【課題を解決するための手段】
【０００４】
上記課題を解決するために、この発明はボルテージレギュレータ内蔵の基準電圧において、その出力にCR時定数によるソフトスタート時間を設けて、ボルテージレギュレータ出力のオーバーシュート量を減少するようにした。
【発明の効果】
【０００５】
この発明はボルテージレギュレータ内蔵の基準電圧において、その出力にCR時定数によるソフトスタート時間を設けて、ボルテージレギュレータ出力のオーバーシュート量を減少させる効果がある。
【発明を実施するための最良の形態】
【０００６】
ボルテージレギュレータ内蔵の基準電圧出力にCR時定数のソフトスタート時間を設け、急峻な電源投入時において、基準電圧出力は緩やかに立ち上がることにより、誤差増幅器の出力は一定の出力電圧を保持するのに必要なゲート電圧を出力トランジスタに与えようとする。その結果、出力トランジスタのゲート電圧に過度な電圧が印加せず、ボルテージレギュレータ出力のオーバーシュート量を減少させる。
【０００７】
以下に、本発明のボルテージレギュレータ用オーバーシュート制御回路の実施例を図面に基づいて説明する。図１は本発明の一実施形態であるボルテージレギュレータ用オーバーシュート制御回路の構成図を示す。ボルテージレギュレータ全体は、電源端子１、出力端子２、基準電圧出力３、誤差増幅器４、誤差増幅出力５、帰還抵抗６、抵抗分圧出力７、出力トランジスタ８と、ボルテージレギュレータの出力に現れるオーバーシュートを、減少させるための基準電圧出力に時定数を持たせたCR回路９、CR出力１０からなる。
【０００８】
次に、図１に基づいてその動作を説明する。電源端子１に急峻な電源電圧が印加された場合、基準電圧出力３も電源電圧に追従して立ち上がる。CR出力１０は、CR回路９のCR時定数によって立ち上がり、その時間ｔｒは基準電圧出力３に対してｔｒ＝２．２CRのソフトスタートとなる。また、その場合において、帰還抵抗６による抵抗分圧出力７は、GND電位レベルの状態であり、CR出力１０と抵抗分圧出力７とを比較した誤差増幅器４の誤差増幅出力５はソフトスタートによって最大振幅出力とはならず、出力トランジスタ８のゲート電圧にはボルテージレギュレータの一定出力電圧を保持していくのに必要な電圧を与える。その結果、ボルテージレギュレータ出力端子２のオーバーシュート量が減少する。
【図面の簡単な説明】
【０００９】
【図１】本発明の実施の形態の前記請求項１のボルテージレギュレータ用オーバーシュート制御回路を示す構成図である。
【図２】従来のボルテージレギュレータ制御回路の構成図である。
【符号の説明】
【００１０】
１：電源端子
２：出力端子
３：基準電圧出力
４：誤差増幅器
５：誤差増幅出力
６：帰還抵抗
７：抵抗分圧出力
８：出力トランジスタ
９：CR回路
１０：CR出力
【図１】
2005327027.tif 000003
【図２】
2005327027.tif 000004
(57)【要約】【課題】使用後の熱転写リボン、チャート紙など、ロール状に巻き取られた秘密文書を判読不能な砕片に処理する情報漏洩防止装置を提供すること。【解決手段】情報漏洩防止装置１は下部容器２と、下部容器２の上側に設けられる処理部３と、処理部３を収容して下部容器２を施蓋するカバー部６と、カバー部６の上側にロール状の秘密文書８を転動可能に支持する支持手段７とから構成される。【選択図】        図１
2005021728.tif 000002
【特許請求の範囲】
【請求項１】
下部容器と、該下部容器の上側に設けられ、秘密文書の端部を下部容器側に駆動しつつ判読不能な砕片に加工する処理部と、該処理部を収容して前記下部容器を施蓋するカバー部とからなり、前記カバー部の上側にはロール状の秘密文書を転動可能に支持する支持手段を設けたことを特徴とする情報漏洩防止装置。
【発明の詳細な説明】
【０００１】
【発明の属する技術分野】
本発明は秘密文書を判読不能な砕片に加工する情報漏洩防止装置に関する。
【０００２】
【従来の技術】
ロール紙を自動供給して所定寸法にカットし、発生した端切れ片を細断処理するシュレッダーが特許文献１等に、給紙装置付のシュレッダーが特許文献２等に、熱転写リボンのシュレッダー屑をリサイクルする技術が特許文献３等に、読み取り後の原稿を裁断するシュレッダを備えた文書読取（ＯＣＲ）装置が特許文献４等により知られている。
【０００３】
【特許文献１】
特願平７−１２７２４５号公報
【特許文献２】
特開平８−１１７６２７号公報
【特許文献３】
特開平９−１７２２４６号公報
【特許文献４】
特開２０００−３５３１７１号公報
【０００４】
【発明が解決しようとする課題】
本発明は使用後の熱転写リボン、チャート紙など、ロール状に巻き取られた秘密文書を判読不能な砕片に処理する情報漏洩防止装置を提供する。
【０００５】
【課題を解決するための手段】
上記課題を解決するため、本発明が採用する構成の特徴は、カバー部の上側にロール状の秘密文書を転動可能に支持する支持手段を設けたことにある。
【０００６】
【発明の実施の形態】
以下、本発明の実施の形態を図示例と共に説明する。
図１は発明を実施する形態の第一例であって、図中の情報漏洩防止装置１は、下部容器２と、該下部容器２の上側に設けられる処理部３と、該処理部３を収容して前記下部容器２を施蓋するカバー部６とからなり、前記カバー部６の上側にはロール状の秘密文書８を転動可能に支持する支持手段７を設けてある。
【０００７】
処理部３は、２つの歯付ロール４を回転させることにより秘密文書８の端部９を巻き込み、下部容器２側に搬送しつつ判読不能な砕片に加工するシュレッダーである。該各歯付ロール４は手回しクランク５により回転駆動される。
【０００８】
支持手段７は、下部側がカバー部６または下部容器２に固定され、上部側がカバー部６の挿入口１０の上部で水平に伸張する逆Ｌ字状をなし、秘密文書（例えば印字済みの熱転写リボン）のロール８を引っ掛けて転動可能に支持する。
【０００９】
本実施の形態は以上の如きもので、支持手段７を設けたから、クランク５を回転させれば処理部３がロール状の秘密文書８を巻きほぐしながら砕片１１に加工処理して下部容器２へ移動、落下させ、砕片１１となった秘密文書はもはや判読できず秘密は保持される。
【００１０】
次に、図２は第二の実施の形態を示し、本実施の形態の特徴は支持手段をテーパ面により構成した点にある。なお、本実施の形態では上述した第一の実施の形態と同一の構成要素には同一符号を付し、その説明を省略する。
【００１１】
情報漏洩防止装置２０は、処理部３を収容して下部容器２を施蓋するカバー部２１の上部に逆ハ字状に並ぶ二つテーパ面２２が形成され、該各テーパ面２２の中間であり最下部位に挿入口２３が形成されている。そして、秘密文書のロール８から端部９を引き出し挿入口２３に押し込んでクランク５を回転させると、ロールはテーパ面２２に支持されて転動しつつ、秘密文書は処理部３で処理される。また、本実施の形態によると、重心が低くなるので装置の安定性が良好となる。
【００１２】
尚、本発明の情報漏洩防止装置は上述した実施の携帯にのみ限定されるものではなく、本発明の要旨を逸脱しない範囲内において種々変更を加えることが可能である。例えば図１、図２では二つの歯付ロールを手動で回転させる場合を例示したが、モータで回転駆動しても良く、また、印字済み熱転写リボンを判読不能に砕片に加工する場合を例示したが、グラフ紙、チャート紙、レシート紙などのロール紙でもよい。
【００１３】
【発明の効果】
以上説明したように、本発明の情報漏洩防止装置によれば、ロール状に巻き取られた秘密文書を判読不能な砕片にして処理するので、確実に秘密保持が図られる。
【図面の簡単な説明】
【図１】第一の実施の形態を示す説明図である。
【図２】第二の実施の形態を示す説明図である。
【符号の説明】
１，２０…情報漏洩防止装置、２…下部容器、３…処理部、４…歯付ロール、５…クランク、６…カバー部、７，２２…支持手段、８…秘密文書、１１…砕片
【図１】
2005021728.tif 000003
【図２】
2005021728.tif 000004
(57)【要約】【課題】睡眠時に頚骨を頚骨特有のカーブに沿って支持し、首の疲れを取り除く。【解決手段】全体として長方形をなし高密度オープンセルフォーム素材のクッション材から作られる枕本体と、枕本体の長辺の１つに沿って形成された隆起部と、隆起部の前面に形成され後方に傾いている傾斜面と、傾斜面の中央に形成された円弧状の凹みと、枕本体の左右方向の中央部分に設けられた複数の通気孔とにより枕を構成する。旅行などの携帯時に枕本体をロール状に丸めて収納を容易にする。【選択図】        図１
2005021230.tif 000002
【特許請求の範囲】
【請求項１】
全体として長方形をなし高密度オープンセルフォーム素材のクッション材から作られる枕本体（１）と、枕本体（１）の長辺の１つに沿って形成された隆起部（２）と、隆起部（２）の前面に形成され後方に傾いている傾斜面（３）と、傾斜面（３）の中央に形成された円弧状の凹み（４）と、枕本体（１）の左右方向の中央部分に設けられた複数の通気孔（５）と、からなることを特徴とする携帯可能枕。
【請求項２】
請求項１の枕本体（１）を収容する空間（７）を有した袋（６）と、袋（６）の一端に延在する端布（１１）と、端布（１１）の端部表面に装着されたマジックテープＡ、（８）と、袋（６）又は端布（１１）の裏面に装着されたマジックテープＢ、（９）とを備え、袋（６）の空間（７）に収容された枕本体（１）の空気を押し出し乍らロール状に丸め、マジックテープＡ、（８）とマジックテープＢ、（９）とを係合させ旅行用サイズの枕ロール（１０）を構成することを特徴とする枕本体をロール状に丸めて収納する方法。
【発明の詳細な説明】
【０００１】
【発明の属する技術分野】
本発明は、携帯可能な睡眠用枕、及び携帯時に枕本体をロール状に丸めて収納する技術に関する。
【０００２】
【従来の技術】
袋状容器にそばがら、木製ビーズ等の天然又は人工の粒状物質を適当な固さに充填したものが一般的である。
【０００３】
【発明が解決しようとする課題】
私たちの首は、７つの骨が独特のカーブを描くことで重い頭を支えている。その私たちの首がいま人類始まって以来の危機にさらされている。前かがみの姿勢で首に負担が集中するデスクワークの連続、首が疲れるだけでなく危険な衝撃ショックを受けることも多い車の運転やスポーツなど、首へのストレスが日常化した現代人は、頚骨の間の椎間板の老化がかつてないスピードで進行し、頭痛、肩こり、各種の睡眠障害を始めとするさまざまな不快症状に悩むケースが増えている。枕の最も大切な働きは、こうして疲れた私たちの首を睡眠中しっかりと支え、ゆっくりと休ませて疲労を回復させることにある。そのような働きをする上で枕にとってなにより大切なのは、その形である。枕はまず私たちの首をその骨の自然なカーブのままに受け止め、決して無理な寝姿勢を強いることのない形をしていることが第一の条件になる。
【０００４】
【課題を解決するための手段】
全体として長方形をなし高密度オープンセルフォーム素材のクッション材から作られる枕本体と、枕本体の長辺の１つに沿って形成された隆起部と、隆起部の前面に形成され後方に傾いている傾斜面と、傾斜面の中央に形成された円弧状の凹みと、枕本体の左右方向の中央部分に設けられた複数の通気孔とにより枕を構成する。
【０００５】
【発明の実施の形態】
図１〜図１０において、１は全体として長方形をなし高密度オープンセルフォーム素材のクッション材から作られる枕本体、２は枕本体の長辺の１つに沿って形成された隆起部、３は隆起部の前面に形成され後方に傾いている傾斜面、４は傾斜面の中央に形成された円弧状の凹み、５は枕本体の左右方向の中央部分に設けられた複数の通気孔である。
【０００６】
このような装置において、枕を使用する人物の首が凹み４と隆起部２を跨ぐように、頭を枕本体１の中央に載せると、肩は傾斜面３に接触する。首の骨は自然に弯曲した状態で隆起部２により支持される。枕本体１はオープンセルフォーム素材から作られるので通気性を有するが、頭および首が枕本体２に接触する部分には通気孔５が設けられているので、更に通気性が良くなっている。
【０００７】
次に旅行等に携帯するため、枕本体１を小さく丸める場合について説明する。図４ａ、図４ｂに示す如く、枕本体１を袋６の空間７に挿入する。次いで枕本体１の空気を押し出し乍ら、枕本体１と袋６を一体としてロール状に巻く…図８，図５。袋６の一端には端布１１が延在し、端布１１の端部表面にはマジックテープＡ、８が装着されている。
【０００８】
枕本体１と袋６を一体として更に強くロール状に巻くと、袋６裏面のマジックテープＢ、９が表面に現れる…図６，図９．
【０００９】
マジックテープＡ、Ｂ、８、９を重ねて押し付けると、マジックテープＡ、Ｂの雄型と雌型とが結合し、旅行用サイズの枕ロール１０が完成する…図７，図１０。
【図面の簡単な説明】
【図１】本発明携帯可能枕の実施例の平面図。
【図２】図１の前面図。
【図３】図１の側面図。
【図４ａ】枕本体の斜視図。
【図４ｂ】枕本体を挿入する袋の斜視図。
【図５】枕本体を挿入した袋の巻き始めの状態を示す斜視図。
【図６】ほぼロール状に巻いた枕本体の斜視図。
【図７】完成した枕ロールの斜視図。
【図８】袋に挿入した枕本体の空気を押し出した状態の概略側面図。
【図９】図６と同様な概略側面図。
【図１０】図７と同様な概略側面図。
【符号の説明】
１    枕本体
２    隆起部
３    傾斜面
４    凹み
５    通気孔
６    袋
７    空間
８    マジックテープＡ
９    マジックテープＢ
１０    枕ロール
１１    端布
【図１】
2005021230.tif 000003
【図２】
2005021230.tif 000004
【図３】
2005021230.tif 000005
【図４】
2005021230.tif 000006
【図５】
2005021230.tif 000007
【図６】
2005021230.tif 000008
【図７】
2005021230.tif 000009
【図８】
2005021230.tif 000010
【図９】
2005021230.tif 000011
【図１０】
2005021230.tif 000012
【手続補正書】
【提出日】平成15年7月18日(2003.7.18)
【手続補正１】
【補正対象書類名】図面
【補正対象項目名】図４
【補正方法】変更
【補正の内容】
【図４】
2005021230.tif 000013
【手続補正２】
【補正対象書類名】明細書
【補正対象項目名】図面の簡単な説明
【補正方法】変更
【補正の内容】
【図面の簡単な説明】
【図１】本発明携帯可能枕の実施例の平面図。
【図２】図１の前面図。
【図３】図１の側面図。
【図４】図４aは枕本体の斜視図。
図４bは枕本体を挿入する袋の斜視図。
【図５】枕本体を挿入した袋の巻き始めの状態を示す斜視図。
【図６】ほぼロール状に巻いた枕本体の斜視図。
【図７】完成した枕ロールの斜視図。
【図８】袋に挿入した枕本体の空気を押し出した状態の概略側面図。
【図９】図６と同様な概略側面図。
【図１０】図７と同様な概略側面図。
(57)【要約】【課題】野菜などの食材を断続的に切る際、切った食材が包丁の刀身から自然に剥がれて一定方向に落ちるように誘導する。【解決手段】本体（１）は両端にクリップ（２）を有した長方形の板で、側面は弧を描くように緩やかにカーブ（３）しており、クリップ（２）で刀身に挟み包丁の峰（８）の内側に乗せるように装着して使用する。【選択図】  図１
2005021537.tif 000002
【特許請求の範囲】
【請求項１】
側面が弧を描くように緩やかにカーブした長方形の板で、その両端にクリップを有し透明のプラスチックで成型された包丁補助具であり、前期クリップを介して包丁の峰に着脱可能な包丁の補助具。
【発明の詳細な説明】
【０００１】
【発明の属する技術分野】
本発明は、包丁で野菜などの食材を断続的に切る際に、包丁の刀身に張り付いた食材が、刀身から自然に剥がれて一定方向に落ちる様に誘導するための包丁補助具である。
【０００２】
【従来の技術】
従来の包丁は刀身が平らで、野菜などの食材を断続的に切る際に、切った食材が刀身に張り付き、次々にせり上がって刀身の左右へばらばらに落ちるという不具合があった。特に、薄切りや千切りの場合はその煩わしさはひとしおである。刀身に穴を開けた物は効果があまり無く、また刀身に凸凹状の加工を施した物は食材によっては反って邪魔になる。そのどちらも加工部分に汚れが付着しやすく衛生面で問題がある。そこで刀身に補助具を装着して使用するタイプの物が多く発明されているが、本来の課題は解決されるものの別の不具合が生じる。例として、刀身に磁気性の部材を張り付けて使用するものは、切る際の抵抗が大きくずれ易い。また補助具本体が刀身の両面に掛かる物は被切断物への抵抗があまりにも大きく、まっすぐに切断できない。さらに挟む力が相当強力でなくては効果が得られないので、着脱の際に怪我をする可能性が高く危険である。
【０００３】
【発明の実施の形態】
本発明は、包丁（６）で食材を薄切りや千切りにする際に、刀身（７）に張り付き、せり上がってくる食材を、図１の様にクリップ（２）で刀身（７）を挟み込むようにして包丁の峰（８）に装着した板により、図４のように一定方向に誘導して落とす物である。本体（１）は高さが約４ｃｍ、幅は一般的な包丁の峰に装着できる程度とし、厚さ約１ｍｍの長方形の板で、側面は弧を描くように緩やかにカーブ（３）しており、その両端にはクリップ（２）を有している。本体（１）とクリップ（２）は一体で成型されており、その材質は手元の視界を遮らないために透明のプラスチックとする。図２は図１を反対側から見た図である。図３でわかるように本体（１）とクリップ（２）の接合部（１１）は包丁の断面の中心（１２）より内側にずらしてある。これは本体（１）が峰（８）と接する部分が包丁の峰（８）より外側にはみ出さないためのものである。これは、切った食材が刀身に張り付きせり上がってきたときに本体（１）にぶつかることなく速やかに移行させるためである。市販されている包丁の峰の厚みは様々であるが、前記のように中心からずらすことにより峰の厚みに関係なく一般的な市販の包丁に装着して使用できる。これにより図４のように、切った食材（１０）が包丁の刀身（７）から本体（１）のカーブ（３）に移行する際に何の抵抗も受けずに済む。またクリップ以外の本体部分は刀身の両面には一切かからないので、よって切る際の抵抗により本体（１）が包丁からずれたり、切った食材が引っ掛かったりすることは無い。またクリップ（２）の挿入部（４）は装着し易いように反り（５）をつけてあり、包丁の峰（８）から滑らせるように簡単にかつ安全に差し込むことができる。
【０００４】
【発明の効果】
これにより、薄切りや千切りに切った食材（１０）は刀身（７）からカーブ（３）に沿って自然に移動し一定方向に落ちる。よってバラバラに散った食材をかき集める手間が省け、煩わしさから開放される。また包丁の峰（８）の内側に乗せるように装着するので、クリップ以外の部分は刀身（７）に掛かることは無く邪魔にならず切る際の抵抗も無いため、クリップ（２）の挟む力が強力でなくても、ずれる事も無いし着脱が簡単でしかも安全である。材質は透明のプラスチックにすれば手元が良く見えて安全である。反転して装着できるので利き手に関係なく使用できる。
【図面の簡単な説明】
【図１】補助具を包丁に装着した状態の斜視図である。
【図２】図１を反転した斜視図である。
【図３】（ａ）〜（ｂ）の断面図である。
【図４】切った食材が補助具に誘導される図である。
【符号の説明】
１      本体
２      クリップ
３      カーブ
４      挿入部
５      反り
６      包丁
７      刀身
８      峰
９      食材
１０    切った食材
１１    接合部
１２    包丁の断面の中心
【図１】
2005021537.tif 000003
【図２】
2005021537.tif 000004
【図３】
2005021537.tif 000005
【図４】
2005021537.tif 000006
(57)【要約】【課題】電動車椅子を搬送する時、昇降装置と台車が分離できることで、コンパクトにまとまり自動車のトランクなどに収納し搬送することが出来る電動車椅子用昇降装置を提供すること。【解決手段】電動車椅子の昇降装置を昇降機能部分（１〜５）までと駆動用モーター（６〜８）とがベベルギア５と６を介して分割できるようにされている。【選択図】図１
2005021531.tif 000002
【特許請求の範囲】
【請求項１】
電動車椅子の座面を昇降させる装置であって、自動車のトランクなどに収納し移動する時など台車部分と椅子部分が着脱可能であり、椅子に付いている昇降装置はそれ自体では機能しないが、台車に取り付けてある駆動用モーターのベベルギアと椅子の昇降ギアの先端に取り付けられたベベルギアが接続されかみ合ったときに始めて機能する、車椅子の脱着式座面昇降装置。
【発明の詳細な説明】
【０００１】
【発明の属する技術分野】
本発明は自家用車などで搬送する時、車のトランクなどにコンパクトに収納できるように椅子に取り付けられている昇降ギアと、台車側に取り付けられた駆動用モーターが分割出来る装置に関する。
【０００２】
【従来の技術】
電動車椅子の昇降装置は油圧式、電動式であるが、どれも車体と椅子が一体化されており形も大きく重量があるため遠方に搬送する時などリフトの付いた特殊車両が必要とされていた。
【０００３】
【発明が解決しようとする課題】
機能面ではミリ単位で高さ調節ができ、相当量の体重の人も安全に上げ下げ出来また搬送時にコンパクトで軽量であることが好ましい。
【０００４】
【課題を解決するための手段】
本発明は、電動車椅子の座面昇降装置の椅子と駆動モーターを分割させる事で、コンパクトで軽量な装置が可能になっている、椅子に付いている固定支柱１の内部には棒ギア３とベベルギア５が組み込まれており、棒ギアとベベルギアは一体化されている、昇降用の主軸２の内部にはメネジがきってあり棒ギアの回転によって上下するが、台車部分に取り付けられた駆動用モーター８とは、椅子の主軸２に組み込まれているベベルギア５とモーター８の先端に取り付けられたベベルギア６で切り離す事が出来る、したがって椅子１７と椅子の支柱１が台車１２に接続されるとベベルギア５とベベルギア６とがかみ合って、昇降機能が働くようになる。
【０００５】
【発明の実施の形態】
本発明の、電動昇降装置は昇降軸と椅子とで構成されており走行機能を持つ台車部分とは切り離すことが出来る、自走時には昇降装置の付いた椅子を台車に取り付け、搬送時には台車と昇降装置の付いた椅子を切り離し、コンパクトなサイズにして車のトランクなどに収納して運べるようにしてある、
【０００６】
もともと昇降軸と椅子だけでは、昇降装置としての機能はないが昇降軸を台車に取り付けた時に、台車側に設置された駆動用モーターに接続されて初めて昇降装置としての機能が満たされる。
【０００７】
駆動用モーターは台車に設置されているため無線コントローラーによって作動させるため、台車と昇降軸の間には電気配線の必要がないため、台車と昇降軸の取り外しが容易に出来る。
【０００８】
【実施例】
本発明の実施例を図面に基づき詳細に説明する。図１は昇降装置の断面図で１は椅子を固定する昇降軸を支える支柱であって、中心に昇降軸２が組み込まれている昇降軸はパイプの中にメネジ４が切ってあり棒ネジ３と組み合うようになっている、又、棒ネジ３はベベルギア５に固定されており動力側のベベルギア６からの回転を棒ギア３に伝える、棒ギア３の回転によって棒ギア３に接続されている昇降軸２内に切られたメネジ４が上下に移動する。台車側に設置されている駆動用モーター８は減速ギア７を介して減速ギアの回転軸の先にベベルギア６が固定されており、これらが一体化され台車側に固定されている。椅子を支えている支柱１は台車から取り外せるが、その際ベベルギア５とベベルギア６の所で切り離す事が出来る
【０００９】
図３は電動車椅子全体の側面図で椅子が台車に取り付けられている図である。
【００１０】
図４は電動車椅子全体の側面図であるが椅子１７と支柱１が台車１２から取り外されている図である、このように分割する事は容易に車のトランクに収納することが出来る。
【００１１】
【発明の効果】
以上のように、本発明にかかる電動車椅子用昇降装置は、椅子部分と台車部分と容易に分解できるためコンパクトに収納することが出来る。
【図面の簡単な説明】
【図１】本発明にかかる電動車椅子用昇降装置の側面図である。
【図２】電動車椅子の台車部の平面図である。
【図３】電動車椅子全体の側面図で椅子と支柱が台車から離れていることをあらわしている。
【図４】電動車椅子全体の側面図で椅子と支柱が台車に接続されていることをあらわしている。
【符号の説明】
１        支柱
２        昇降軸
３        棒ギア
４        メネジ
５        ベベルギア
６        ベベルギア
７        減速ギア
８        モーター
９        減速ギア
１０      モーター
１１      受信機
１２      コントローラー
１３      動輪
１４      バッテリー
１５      キャスター
１６      台車
１７      椅子
【図１】
2005021531.tif 000003
【図２】
2005021531.tif 000004
【図３】
2005021531.tif 000005
【図４】
2005021531.tif 000006
(57)【要約】この発明は歩くことで健康を維持しようとするものであり、ダイエット効果も期待できるものである。【課題】公道を歩行するにあたり、ある程度の軽快な動きを可能にすること。安定性をもたせ長時間の歩行に耐えうること。【解決手段】張り付けるウレタンの面積を靴底より若干大きめにすることで安定性、軽快性を得る。【選択図】図１
2005021539.tif 000002
【特許請求の範囲】
【請求項１】
【発明の詳細な説明】
【０００１】
この履き物を履き負荷を加えながら歩行することにより、適度な運動効果を得られる。
【０００２】
【発明の属する技術分野】
靴底にウレタンを張り付け、歩行の時に適度な負荷を加えダイエット効果を上げる。
【０００３】
【従来の技術】
靴底に装備していたのはスプリング又はゴムであった。
【０００４】
【発明が解決しようとする課題】
靴底を高くすることで不安定になることを防ぐ。
【０００５】
【課題を解決するための手段】
靴底全体に張り付けることにより安定感を高める。
【０００６】
【発明の実施の形態】
靴底にウレタンを接着剤等で貼り付けるものである。
【０００７】
【発明の効果】
ウレタンがクッションの役割も担うので膝に負担をかけずにダイエット効果を期待できる。
【図面の簡単な説明】
【図１】履物側面の断面図
【図２】履物正面の断面図
【符号の説明】
１  履物本体
２  ウレタン
【図１】
2005021539.tif 000003
【図２】
2005021539.tif 000004
【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
履物の底面にウレタンを貼付けた靴である。貼付けるウレタンは安定性を持たせる為靴底より１ｃｍ程度、幅を大きめにする。これを履き歩行することにより自重で負荷をかけ適度な運動量を得ることで健康を維持し、ダイエット効果も得ようとするものである。
(57)【要約】      （修正有）【課題】コツプの区別が付き、又、屋外での場合、風で飛ばされたり人が、過つて落としたりして、汚れる事を、防止する多人数用コップホルダーを提供する。【解決手段】本体に、コツプの中央部くらいで、引掛かるくらいの大きさの丸孔を６〜８個くらい開けて、本体を、２個丁番でつなぎ、これを開閉出来るようにし、吊り下げ金具で大型容器の取手の部分に吊り下げる方法の吊り下げタイプと、組み立て式の脚を組み立て、吊り下げタイプの使用時とは表、裏を逆にし、脚を、差込み金具の穴に差し込み、床の上に立たせる、スタンドタイプにして使用する。【選択図】    図１
2005021545.tif 000002
【特許請求の範囲】
【請求項１】
一般に市販されている、丸型の携帯出来る保冷〔保温〕容器に直接吊り下げ使用する、吊り下げタイプと、床又は地面等、下に置くスタンドタイプを両用出来る型式のもので、コツプを〔紙、ポリエステル製等〕挿通保持して置く孔を多く有し、多数のコツプを整理、整頓、保持し得ること。
【請求項２】
吊り下げタイプの２箇所の金具は、左右に動く、関節のような働きをする部分が２箇所以上付き丸い保冷〔保温〕容器の直径が異つても、容器の取手の部分の曲がりの径に合わせて、吊り下げられる様になつている事と吊り下げタイプのみで有るが、中央の丁番部分を開ければ、孔の数の最多数でコツプが保持出来、閉じれば半分の保持数で、使用出来る事。
【請求項３】
スタンドタイプは、１箇所の脚の部分が、３個に分解出来、床、又は地面に接する部分は、丸パイプで、左右の立ち上がり部分の、両下部に差込み、Ｕの字型に組み立てる構造であり、脚の上部は、コツプホルダー本体の、差込み穴、又は差込み金具に、差し込んで組み立て２セツトを使用する、直を、コツプホルダー本体は、塩ビ、ポリエステル、金属等で、製作する。
【発明の詳細な説明】
【０００１】
【産業上の利用分野】
本発明は、大量の飲み物を必要とする、団体や、家族の携帯容器と組み合わせて使用し多数の、コツプ〔紙、ポリエステル製等〕を清潔に、整理、整頓し保持して置く大型の、コツプホルダーである。
【０００２】
【従来の技術】従来、自動車内部で、使用するコツプが２個ほど保持出来る、ホルダー等は有るが、まとめて１２〜１６個を、保持出来るホルダーは無い。
【０００３】
【発明が解決しようとする課題】野球や、サツカーの試合等で、多人数で、１個の容器から多数の、コツプに飲み物を入れ使用するが、この様な場合、飲んだ人が再度、同じコツプを使おうとしても、他の人の使用した、コツプと混ざり、区別がつかなくなり又、地面や、ベンチ等の、上に置いておくと、風や人等が、原因で飛ばされたり、下に落ちたりし、必ずと言つてよいほど、汚れるので、この様な事を、防止し衛生面からの見地も兼ね、確実に、整理、整頓し、保持、出来るようにした。
【０００４】
【発明の実施の形態】丸型の大型携帯容器で使用する場合には、容器の取手を利用する、吊り下げタイプを、使用し、吊り下げ金具は、左右に動く関節のような働きをする部分が、２個以上付いているので、保冷〔保温〕容器の直径が異つても取手の、部分の曲がりの径に合せて、吊り下げられる、別にこのタイプは中央の、丁番部分で、開ければ、ホルダーの孔の最多数でコツプが保持出来、閉じれば、半分の保持数で、使用出来るようにもなる。
取手の無い四角い保冷〔保温〕容器や、ペツトボトルから飲み物を、入れる時使用するスタンドタイプは、２箇所の、脚が有り、１個の脚が、小さく収納出来る様３個に分解出来、床、又は地面に接する部分は、丸パイプで、左右の立ち上がり部分の両下部に差込み、Ｕの字型に組み立てる構造である、上部は、ホルダー本体の差込み穴、又は差込み金具の、穴に差込み使用する、直を、コツプホルダー本体は、塩ビ、ポリエステル、金属等で、製作するものとする。
【図面の簡単な説明】
【図１】は吊り下げタイプの外観斜視図である。
１、はホルダー本体で有り、孔の有るコの字型の部分が２個、丁番でつながつている。
２、はコツプを保持する孔である。
３、は吊り下げ金具で、ジョイント部分は、左右水平に可動する。
４、スタンドタイプで使用する場合の、脚上部を差し込む金具であるが、塩ビ、やポリエステルで、製作する場合は、差込み穴とする。
５、は丁番２個で、２本のホルダー本体をつなぐ。
６、は保冷〔保温〕容器の取手。
７、は保冷〔保温〕用大型容器。
【図２】はスタンドタイプの、外観斜視図である。
１、はホルダー本体であるが、吊り下げタイプを裏返し、して使用する。
２、はコツプを、保持する孔である。
３、は吊り下げタイプで、使用するときに使う吊り下げ金具。
４、はホルダー本体を、支えるスチール丸棒の脚部。
５、は４の脚部を、つなぐジョイント用の、スチールパイプ。
６、は本体の、差込み穴に、入れる脚部の、上の部分。
７、はコツプを、ホルダーに入れ、保持した状態。
【図１】
2005021545.tif 000003
【図２】
2005021545.tif 000004
(57)【要約】【課題】はばたき型の飛行器具におけるエネルギーロスの改善。【解決手段】複数のはばたき翼をフィルム状の膜により連結する。【選択図】    図１
2005021530.tif 000002
【特許請求の範囲】
【請求項１】
複数のはばたき翼を膜によって連結した。
【請求項２】
連結した翼の部分に弾力を持たせた。
【発明の詳細な説明】
【０００１】
【発明発明の属する技術分野】
本発明は、複数のはばたき翼を稼動させそれをフィルム状の膜で連結させたものである。
【０００２】
【従来の技術】
従来の器具は複数の独立した翼によって形成されていた。
【０００３】
【発明が解決しようとする課題】
従来の器具は複数のはばたき翼が独立していたため、気体の流れに乱れが生じエネルギーを有効に浮力と推進力と出来なかった。
【０００４】
【課題を解決するための手段】
上記の問題を解決するために、複数の上下動するはばたき翼をフィルム状の膜により連結させた。これにより気体の流れをスムーズにし、動力の浮力と推進力への転換時における損失を減らすことが出来るようにした。
【０００５】
【発明の実施の形態】
本発明は、複数のはばたき翼をフィルム状の膜で連結させたものである。
【０００６】
【実施例】
上記はばたき翼を連結するフィルム状の膜は翼の上下動を阻害しないよう、又、空気の流れをスムーズにさせるため、膜の端面が波状の動きをすることが望ましい。
【０００７】
【発明の効果】
通常の飛行翼や独立して動くはばたき翼とは違い空気を縫うように翼が動く為、翼の後方に気流の乱れが生じない。つまり動力を、浮力や推進力に変える際にエネルギーのロスを極力押さえることが可能となる。
【０００８】
【図面の簡単な説明】
【図１】はばたき型飛行器具の透視図である。
【符号の説明】
１  動力部分
２  はばたき翼の腕
３  膜
４  胴体
５  弾力部分
【図１】
2005021530.tif 000003